(57)【要約】【課題】無線ＬＡＮシステムにおいて、ローミング動作の際にパケット間隔があいてしまうことを防止する。【解決手段】上りパケットでは、移動局ＳＴパケットにシーケンス番号を付してマルチキャストあるいはブロードキャストにより各基地局に送信する。各基地局ＡＰ１，ＡＰ２，ＡＰ３では、当該パケットの受信信号強度を測定し、当該パケットに当該受信信号強度の数値を添付して、ローミングサーバＳＲＶに送信する。ローミングサーバＳＲＶでは、各基地局のセルＩＤが登録されていて、その登録されている全ての基地局から同一のシーケンス番号のパケットを全て受信したか否かを判断する。全て受信したときは、これら同一シーケンス番号のパケットの中でデータ誤りがないもののうち最大の受信信号強度の値であるパケットを選択して、当該パケットのみをパソコンＰＣに送信する。【選択図】図８
2009004829.tif 000002
【特許請求の範囲】
【請求項１】
移動局と無線通信を行う第１の通信インターフェイスと、
ネットワークと通信を行う第２の通信インターフェイスと、
前記第１の通信インターフェイスを介して前記移動局からパケットを受信する第１の受信手段と、
前記第１の受信手段により前記パケットを受信したときは、当該パケットの受信信号強度を測定する測定手段と、
前記測定手段で受信信号強度を測定したときは当該測定の対象となった前記パケットに当該受信信号強度の情報を付加して前記第２の通信インターフェイスにより前記ネットワークを介して所定の通信先に送信する第１の送信手段と、
前記所定の通信先から前記ネットワーク及び前記第２の通信インターフェイスを介してパケットを受信する第２の受信手段と、
前記第２の受信手段を介して前記パケットを受信したときは当該パケットを前記第１の通信インターフェイスを介して前記移動局に送信する第２の送信手段と、
を備えている基地局。
【請求項２】
ネットワークを介して基地局と通信を行う第３の通信インターフェイスと、
所定の通信先と通信を行う第４の通信インターフェイスと、
複数の前記基地局について当該基地局を識別する第１の識別子をそれぞれ記憶している第１の記憶装置と、
前記第３の通信インターフェイスを介して前記基地局からパケットを受信する第３の受信手段と、
前記第３の受信手段により前記基地局から前記パケットを受信したときは、当該パケットを第２の記憶装置にバッファリングするバッファ手段と、
前記第２の記憶装置にバッファリングされている各パケットに含まれている前記第１の識別子及び当該パケットを識別する第２の識別子により、同一の前記第２の識別子を含む前記パケットを前記複数の基地局のすべてから受信したか否かを判定するパケット受信判定手段と、
パケット受信判定手段により同一の前記第２の識別子を含む前記パケットを前記複数の基地局のすべてから受信したと判定したときは、当該複数のパケットにそれぞれ含まれている当該各パケットの受信信号強度の情報を比較し最も大きな受信信号強度の情報を含む前記パケットを特定するパケット特定手段と、
前記パケット特定手段で特定した前記パケットを前記第４の通信インターフェイスを介して前記所定の通信先に送信する第３の送信手段と、
前記第３の通信インターフェイスを介して前記所定の通信先からパケットを受信する第４の受信手段と、
前記第４の受信手段により前記所定の通信先からからパケットを受信したときは、前記第３の通信インターフェイス及び前記ネットワークを介して当該パケットを前記基地局に送信する第４の送信手段と、
を備えているサーバ装置。
【請求項３】
前記パケット特定手段で特定した前記パケットに含まれている前記第１の識別子を記憶する第３の記憶装置と、
前記第３の送信手段により前記パケット特定手段で特定した前記パケットを前記所定の通信先に送信するときは、当該パケットに含まれている前記第１の識別子で前記第３の記憶装置に記憶されている前記第１の識別子を更新する識別子更新手段と、
をさらに備えていて、
前記第４の送信手段は、前記第４の受信手段により前記所定の通信先からからパケットを受信したときは、当該パケットを前記第３の記憶装置に前記第１の識別子が記憶されている前記基地局に送信する、
請求項２に記載のサーバ装置。
【請求項４】
ネットワークと、
移動局と、
請求項１に記載の基地局と、
請求項２又は３に記載のサーバ装置と、
を備えていて、
前記基地局は、
前記第１の通信インターフェイスにより前記移動局と無線通信を行ない、
前記第２の通信インターフェイスにより前記ネットワークと通信を行ない、
前記サーバ装置は、
前記第３の通信インターフェイスにより前記ネットワークを介して前記基地局と通信を行ない、
前記第４の通信インターフェイスにより所定の通信先と通信を行ない、
前記移動局は、
前記基地局と無線通信を行う第５の通信インターフェイスと、
前記基地局に送信するパケットに前記第２の識別子を含める識別子付加手段と、
前記識別子付加手段により前記第２の識別子を含めた前記パケットを前記第５の通信インターフェイスを介してマルチキャスト又はブロードキャストにより前記基地局に送信する第５の送信手段と、
前記第５の通信インターフェイスを介して前記基地局からパケットを受信する第５の受信手段と、
を備えている、無線ＬＡＮシステム。
【発明の詳細な説明】
【技術分野】
【０００１】
本発明は、無線ＬＡＮシステム並びに当該無線ＬＡＮシステムに使用する基地局及びサーバ装置である。
【背景技術】
【０００２】
特許文献１などに示されている従来の無線ＬＡＮ（ローカル・エリア・ネットワーク）システムのローミング方式は、以下のようなものである。すなわち、移動局（ステーション）の想定移動範囲内に複数の基地局（アクセスポイント）を設置し、移動局は各基地局から定期的（例えば１００ｍｓごと）に発信されるビーコン信号を受信し、そのビーコン信号の受信信号強度（ＲＳＳＩ）を測定し、当該受信信号強度を各基地局について互いに比較して、より強い受信信号強度の基地局と回線を接続するというものである。このような方式では、移動局が移動して現時点で回線接続されている基地局から離れていくと、これに伴って当該基地局のビーコン信号の受信信号強度が低下していく。そして、当該ビーコン信号の受信信号強度が予め定められた閾値以下となると、移動局と基地局との間の通常のパケット通信の動作を一時停止し、移動局は次に接続可能な基地局を探索する動作を行なう。すなわち、移動局は各地点で各基地局から発信されるビーコン信号を受信し、最も受信信号強度の強い基地局と回線を接続する。
【０００３】
なお、ここでいう回線接続とは、ある移動局が同一のセルＩＤ（基地局を識別する識別子）を有する基地局との間でパケット通信ができる状態となることである。基地局は複数の移動局と回線接続できるが、移動局は１つの基地局との間でのみ回線接続できる。また、移動局及び基地局は、有線回線と無線回線との間のブリッジとして機能するものであり、ＭＡＣアドレス（装置固有のアドレス）宛のパケットを中継するものである。
【特許文献１】特開２００２‐２６９３１号公報
【特許文献２】特開２００６‐２７９９６０号公報
【発明の開示】
【発明が解決しようとする課題】
【０００４】
図１１は、前述の無線ＬＡＮシステムの構成例を示すブロック図である。この無線ＬＡＮシステム１０１は、ネットワークＮＥＴｓに複数の基地局ＡＰ１，ＡＰ２，ＡＰ３が接続されている。基地局ＡＰ１，ＡＰ２，ＡＰ３は、図に示すとおり直線状に並べて配置されている。移動局ＳＴにはネットワークカメラＣｎが接続されていて、移動局ＳＴは“移動範囲”として示している直線上を移動する。この直線は基地局ＡＰ１，ＡＰ２，ＡＰ３が並べられている方向と平行である。パソコンＰＣは、ネットワークＮＥＴｓに接続されていて、ネットワークカメラＣｎで撮影した画像は移動局ＳＴにより基地局ＡＰ１，ＡＰ２又はＡＰ３に送信され、この画像はパソコンＰＣでモニタすることができる。なお、基地局ＡＰ１，ＡＰ２，ＡＰ３が直線状に並べて配置され、移動局ＳＴがこれと平行な直線状を移動するとしているのは説明の便宜のためである。
【０００５】
図１２は、無線ＬＡＮシステム１０１のローミング動作を説明するグラフである。同図は、移動局ＳＴが移動範囲の直線上を移動した場合のビーコン信号のＲＳＳＩの変化を図示したものである。当初は移動局ＳＴが基地局ＡＰ１に接続している。次に、移動局ＳＴが基地局ＡＰ１と基地局ＡＰ２との中間地点（ローミング境界）を通過すると、基地局ＡＰ１からのビーコン信号のＲＳＳＩのレベルＰ１が低下し、このレベルＰ１が所定の閾値（ローミング閾値）Ｌ２を下回った時点で、移動局ＳＴは基地局ＡＰ１との回線を一度切断し、次に接続可能な基地局を探索する動作に入る。当該地点では、基地局ＡＰ２からのビーコン信号のＲＳＳＩのレベルＰ２がレベルＰ１を上回るので、移動局ＳＴと基地局ＡＰ２との間で回線が接続される。
【０００６】
図１３、図１４は、この場合の無線ＬＡＮシステム１０１の移動局ＳＴの動作を説明するフローチャートである。かかる処理は、前半のステップＳ１０１〜Ｓ１０７の回線接続動作と後半のステップＳ１０８〜Ｓ１１８のローミング動作（回線再接続動作）とからなる。
【０００７】
まず、回線接続動作について説明する。移動局ＳＴが動作を開始すると、基地局ＡＰ１，ＡＰ２，ＡＰ３に対してプローブリクエスト信号を送信する（ステップＳ１０１）。そして、通信可能なエリア内の同一周波数チャネルであり、かつ、同一セルＩＤの基地局からのレスポンス信号の返送を待つ（ステップＳ１０２）。一定時間経過してもレスポンス信号の返送がなかったときは（ステップＳ１０２のＮ）周波数チャネルを変更して（ステップＳ１０３）、ステップＳ１０１に戻り、プローブリクエスト信号を送信する。レスポンス信号の返信があれば（ステップＳ１０２のＹ）、当該レスポンス信号のＲＳＳＩを記録する（ステップ１０４Ｓ）。そして、予め定められた１又は複数の周波数チャネルの全チャンネルに対してプローブリクエスト信号を送信（ステップＳ１０１）したかどうかを判断し（ステップＳ１０４）、未送信の周波数チャネルがあれば（ステップＳ１０５のＮ）、周波数チャネルを変更して（ステップＳ１０２）、再度プローブリクエスト信号を送信する（ステップＳ１０１）。このような基地局の探査動作をスキャン動作という。全ての周波数チャネルに対してプローブリクエスト信号を送信しても、有効な基地局、すなわち回線接続可能な基地局が見つからなかった場合は（ステップＳ１０６のＮ）、ステップＳ１０１に戻り、最初の周波数チャネルからスキヤン動作を操り返す。回線接続可能な基地局がある場合は（ステップＳ１０６のＹ）、当該基地局に回線を接続する（ステップＳ１０７）。この場合に、回線接続可能な基地局が複数ある場合は、レスポンス信号のＲＳＳＩが最も大きい基地局に回線を接続する。
【０００８】
次に、ローミング動作（回線再接続動作）に移行する。すなわち、前記のように回線が接続された後は、パケットを受信するたびに（ステップＳ１０８のＹ）、有線回線（端末側）からのパケットを無線回線（基地局側）に送信し、無線回線（基地局側）からのバケットを有線回線に送信するというブリッジとして動作する（ステップＳ１０９）。
【０００９】
一方、パケットの受信のない（ステップＳ１０８のＮ）、バケット送受信の合間に、基地局が送信するビーコン信号のＲＳＳＩと予め設定した閾値（ローミング閾値）とを比較する（ステップＳ１１０）。そして、ＲＳＳＩの値がローミング閾値を上回るときは（ステップＳ１１１のＮ）、ステップＳ１０８以下の処理に戻る。
【００１０】
ＲＳＳＩの値がローミング閾値以下であるときは（ステップＳ１１１のＹ）、前述のステップＳ１０１〜Ｓ１０７と同様の処理を実行する（ステップＳ１１２〜Ｓ１１８）。
【００１１】
以上のようなローミング動作を行なう無線ＬＡＮシステム１０１において、移動局ＳＴが移動範囲を動くことにより、移動局ＳＴが基地局ＡＰ１との回線を一度切断した後、移動局ＳＴと基地局ＡＰ２との間で回線が接続されるまでの時間ｔの間（ステップＳ１１２〜Ｓ１１８の処理期間）は、移動局ＳＴはいずれの基地局ともパケット通信を行うことができない。よって、基地局ＡＰ１との回線切断後、基地局ＡＰ２との間でパケット通信が再開されるまで、パケット間隔があいてしまうことになる。この場合、一般的なパケットデータであればパケット間隔が多少広がっても大きな支障はないが、ネットワークカメラＣｎからの動画像をストリーミングによりパソコンＰＣでモニタするような場合には、わずかな通信途絶でも画像が乱れてしまうという不具合が発生することになる。
【００１２】
また、ローミング境界では、それまで接続していた基地局ＡＰ１に対しても、これから接続されようとしている基地局ＡＰ２に対しても、距離的に遠いことが一般的であり、ビーコン信号のＲＳＳＩの絶対値は低い値であり、通信限界レベルＬ１に近い値となっていることが多い。さらに、無線通信の一般的な特性により、ビーコン信号のＲＳＳＩは変動することが常である。そのため、ローミング境界付近では基地局の探査動作に入る回数が増加し、パケット間隔がさらにあいてしまう可能性が高い。
【００１３】
そこで、本発明の目的は、無線ＬＡＮシステムにおいて、ローミング動作の際にパケット間隔があいてしまうことを防止することである。
【課題を解決するための手段】
【００１４】
（１）  本発明は、移動局と無線通信を行う第１の通信インターフェイスと、ネットワークと通信を行う第２の通信インターフェイスと、前記第１の通信インターフェイスを介して前記移動局からパケットを受信する第１の受信手段と、前記第１の受信手段により前記パケットを受信したときは、当該パケットの受信信号強度を測定する測定手段と、前記測定手段で受信信号強度を測定したときは当該測定の対象となった前記パケットに当該受信信号強度の情報を付加して前記第２の通信インターフェイスにより前記ネットワークを介して所定の通信先に送信する第１の送信手段と、前記所定の通信先から前記ネットワーク及び前記第２の通信インターフェイスを介してパケットを受信する第２の受信手段と、前記第２の受信手段を介して前記パケットを受信したときは当該パケットを前記第１の通信インターフェイスを介して前記移動局に送信する第２の送信手段と、を備えている基地局である。
【００１５】
（２）  別の本発明は、ネットワークを介して基地局と通信を行う第３の通信インターフェイスと、所定の通信先と通信を行う第４の通信インターフェイスと、複数の前記基地局について当該基地局を識別する第１の識別子をそれぞれ記憶している第１の記憶装置と、前記第３の通信インターフェイスを介して前記基地局からパケットを受信する第３の受信手段と、前記第３の受信手段により前記基地局から前記パケットを受信したときは、当該パケットを第２の記憶装置にバッファリングするバッファ手段と、前記第２の記憶装置にバッファリングされている各パケットに含まれている前記第１の識別子及び当該パケットを識別する第２の識別子により、同一の前記第２の識別子を含む前記パケットを前記複数の基地局のすべてから受信したか否かを判定するパケット受信判定手段と、パケット受信判定手段により同一の前記第２の識別子を含む前記パケットを前記複数の基地局のすべてから受信したと判定したときは、当該複数のパケットにそれぞれ含まれている当該各パケットの受信信号強度の情報を比較し最も大きな受信信号強度の情報を含む前記パケットを特定するパケット特定手段と、前記パケット特定手段で特定した前記パケットを前記第４の通信インターフェイスを介して前記所定の通信先に送信する第３の送信手段と、前記第３の通信インターフェイスを介して前記所定の通信先からパケットを受信する第４の受信手段と、前記第４の受信手段により前記所定の通信先からからパケットを受信したときは、前記第３の通信インターフェイス及び前記ネットワークを介して当該パケットを前記基地局に送信する第４の送信手段と、を備えているサーバ装置である。
【００１６】
（３）  この場合に、前記パケット特定手段で特定した前記パケットに含まれている前記第１の識別子を記憶する第３の記憶装置と、前記第３の送信手段により前記パケット特定手段で特定した前記パケットを前記所定の通信先に送信するときは、当該パケットに含まれている前記第１の識別子で前記第３の記憶装置に記憶されている前記第１の識別子を更新する識別子更新手段と、をさらに備えていて、前記第４の送信手段は、前記第４の受信手段により前記所定の通信先からからパケットを受信したときは、当該パケットを前記第３の記憶装置に前記第１の識別子が記憶されている前記基地局に送信する、ようにしてもよい。
【００１７】
（４）  別の本発明は、ネットワークと、移動局と、（１）に記載の基地局と、（２）又は（３）に記載のサーバ装置と、を備えていて、前記基地局は、前記第１の通信インターフェイスにより前記移動局と無線通信を行ない、前記第２の通信インターフェイスにより前記ネットワークと通信を行ない、前記サーバ装置は、前記第３の通信インターフェイスにより前記ネットワークを介して前記基地局と通信を行ない、前記第４の通信インターフェイスにより所定の通信先と通信を行ない、前記移動局は、前記基地局と無線通信を行う第５の通信インターフェイスと、前記基地局に送信するパケットに前記第２の識別子を含める識別子付加手段と、前記識別子付加手段により前記第２の識別子を含めた前記パケットを前記第５の通信インターフェイスを介してマルチキャスト又はブロードキャストにより前記基地局に送信する第５の送信手段と、前記第５の通信インターフェイスを介して前記基地局からパケットを受信する第５の受信手段と、を備えている、無線ＬＡＮシステムである。
【発明の効果】
【００１８】
本発明によれば、マルチキャスト又はブロードキャストにより移動局から複数の基地局に同一パケットを送信し、これら各基地局で受信した同一パケットのうち受信した基地局の受信強度が最も高かったものを選択して所定の通信先に送ることができるので、ローミング境界において回線の切り替えに時間を要してしまって、その間にパケット間隔があいてしまう事態を防止することができる。
【発明を実施するための最良の形態】
【００１９】
以下、本発明の一実施の形態について図面を参照して説明する。
【００２０】
図１は、本実施の形態の無線ＬＡＮシステム１の全体構成を示す説明図である。この無線ＬＡＮシステム１は、ネットワークＮＥＴｓに複数の基地局ＡＰ１，ＡＰ２，ＡＰ３が接続されている。基地局ＡＰ１，ＡＰ２，ＡＰ３は、図に示すとおり直線状に並べて配置されている。移動局ＳＴにはネットワークカメラＣｎが接続されていて、移動局ＳＴは“移動範囲”として示している直線上を移動する。この直線は基地局ＡＰ１，ＡＰ２，ＡＰ３が並べられている方向と平行である。パソコンＰＣは、ローミングサーバＳＲＶを介してネットワークＮＥＴｓに接続されていて、ネットワークカメラＣｎで撮影した画像は移動局ＳＴにより基地局ＡＰ１，ＡＰ２又はＡＰ３に送信され、この画像はパソコンＰＣでモニタすることができる。なお、基地局ＡＰ１，ＡＰ２，ＡＰ３が直線状に並べて配置され、移動局ＳＴがこれと平行な直線状を移動するとしているのは説明の便宜のためである。また、各装置間でやり取りされるパケットフオーマットは世界標準規格（IEEE802.3）であるイーサネット（登録商標である）に準拠している。
【００２１】
次に、各部の電気的な接続について説明する。
【００２２】
図２は、移動局ＳＴの電気的な接続を示すブロック図である。移動局ＳＴは、各種演算を行い、各部を集中的に制御するＣＰＵ１１と、ＣＰＵ１１が実行する各種プログラムや固定データを記憶しているＲＯＭ１２と、ＣＰＵ１１の作業エリアとなるＲＡＭ１３とがバス１４を介して接続されている。さらに、バス１４には、基地局ＡＰ１，ＡＰ２，ＡＰ３と無線通信を行う無線通信インターフェイス（以下、インターフェイスを「Ｉ／Ｆ」という）１５と、ネットワークカメラＣｎと有線通信を行う通信Ｉ／Ｆ１６とが接続されている。
【００２３】
図３は、基地局ＡＰ１，ＡＰ２，ＡＰ３の電気的な接続を示すブロック図である。基地局ＡＰ１，ＡＰ２，ＡＰ３は何れも同一構成であるため、ここでは、代表して基地局ＡＰ１について説明する。基地局ＡＰ１は、各種演算を行い、各部を集中的に制御するＣＰＵ２１と、ＣＰＵ２１が実行する各種プログラムや固定データを記憶しているＲＯＭ２２と、ＣＰＵ２１の作業エリアとなるＲＡＭ２３とがバス２４を介して接続されている。さらに、バス２４には、移動局ＳＴと無線通信を行う無線通信Ｉ／Ｆ２５と、ネットワークＮＥＴｓと有線通信を行う通信Ｉ／Ｆ２６とが接続されている。
【００２４】
図４は、ローミングサーバＳＲＶの電気的な接続を示すブロック図である。ローミングサーバＳＲＶは、各種演算を行い、各部を集中的に制御するＣＰＵ３１と、ＣＰＵ３１が実行する各種プログラムや固定データを記憶しているＲＯＭ３２と、ＣＰＵ３１の作業エリアとなるＲＡＭ３３とがバス３４を介して接続されている。さらに、バス３４には、ネットワークＮＥＴｓと有線通信を行う通信Ｉ／Ｆ３５と、パソコンＰＣと有線通信を行う通信Ｉ／Ｆ３６とが接続されている。
【００２５】
次に、無線ＬＡＮシステム１の動作について説明する。
【００２６】
図５は、移動局ＳＴが実行する処理を説明するフローチャートである。移動局ＳＴが動作を開始すると、直ちにブリッジ動作を開始する。すなわち、パケットを受信するたびに（ステップＳ１１のＹ）、パケットの送信方向（上りか下りか）を判断し（ステップＳ１２）。有線回線（端末側）からのパケットであれば（ステップＳ１２のＹ）、このパケットに当該パケットを識別する識別子としてシーケンス番号を付して（ステップＳ１３）、マルチキャストあるいはブロードキャストにより無線回線（基地局側）に送信する（上りパケット）（ステップＳ１４）。また、無線回線（基地局側）からのパケットであれば（ステップＳ１２のＮ）、このパケットを有線回線（端末側）に送信する（下りパケット）（ステップＳ１５）。
【００２７】
図６は、基地局ＡＰ１，ＡＰ２，ＡＰ３が実行する処理を説明するフローチャートである。基地局ＡＰ１，ＡＰ２，ＡＰ３はいずれも同様の処理を実行するので、ここでは代表して基地局ＡＰ１の処理について説明する。基地局ＡＰ１が動作を開始すると、直ちにブリッジ動作を開始する。すなわち、パケットを受信するたびに（ステップＳ２１）、パケットの送信方向（上りか下りか）を判断し（ステップＳ２２）、有線回線（ローミングサーバ側）からのパケットであったときは（ステップＳ２２のＹ）、当該パケットを無線回線（移動局側）に送信する（下りパケット）（ステップＳ２３）。無線回線（移動局側）からのパケットであったときは（ステップＳ２２のＮ）、当該パケットのＲＳＳＩを測定し、当該パケットに当該ＲＳＳＩの数値を添付して（ステップＳ２４）、有線回線（ローミングサーバ側）に送信する（上りパケット）（ステップＳ２５）。
【００２８】
図７は、ローミングサーバＳＲＶが実行する処理のフローチャートである。ローミングサーバＳＲＶが動作を開始すると、直ちにブリッジ動作を開始する。すなわち、パケットを受信するたびに（ステップＳ３１）、パケットの送信方向（上りか下りか）を判断し（ステップＳ３２）、基地局側からのパケットであったときは（ステップＳ３２のＹ）、各基地局ＡＰ１，ＡＰ２，ＡＰ３から同一のシーケンス番号のパケットを全て受信する。すなわち、存在する各基地局のセルＩＤが登録されていて（ＲＯＭ３２を構成する不揮発性メモリなどに記憶されている）、その登録されている全ての基地局（本例では基地局ＡＰ１，ＡＰ２，ＡＰ３）から同一のシーケンス番号のパケットを全て受信したか否かを判断することができる（ステップＳ３３）。そのため、基地局ＡＰ１，ＡＰ２，ＡＰ３から受信したパケットは一時的にＲＡＭ３３などにバッファリングされる。そして、各基地局ＡＰ１，ＡＰ２，ＡＰ３から同一のシーケンス番号のパケットを全て受信したときは（ステップＳ３３のＹ）、これら同一シーケンス番号のパケットの中でデータ誤りがないもののうち最大のＲＳＳＩの値であるパケットを選択して、当該パケットのみをパソコンＰＣ側に送信し（上りパケット）（ステップＳ３４）、当該最大のＲＳＳＩの値であったパケットを送信した基地局のセルＩＤをＲＡＭ３３の所定領域に記憶する（ステップＳ３５）。このステップＳ３５の基地局のセルＩＤのＲＡＭ３３における記憶は、ステップＳ３４でＲＳＳＩの値であるパケットを選択するたびに更新されることになる。
【００２９】
一方、パソコン側からのパケットであったときは（ステップＳ３２のＮ）、ＲＡＭ３３の所定領域に記憶されているセルＩＤの基地局に対して、当該パケットを送信する（下りパケット）（ステップＳ３６）。
【００３０】
図８は、図５〜図７の処理に基づく無線ＬＡＮシステム１の通信シーケンス図である。移動局ＳＴからのバケットＰｕを複数の基地局で受信した場合は、それぞれの基地局はローミングサーバＳＲＶ向けにバケットＰｕ１，Ｐｕ２，Ｐｕ３を送出する。ローミングサーバＳＲＶ向けのバケットＰｕ１，Ｐｕ２，Ｐｕ３はバケットＰｕと同じ情報の他、各基地局でバケットＰｕを受信したときのＲＳＳＩの情報を含んでいる。バケットＰｕ１，Ｐｕ２，Ｐｕ３を受け取ったローミングサーバＳＲＶは、移動局ＳＴでバケットＰｕに付されたシーケンス番号から同一内容のデータと判断し、その各バケットＰｕ１，Ｐｕ２，Ｐｕ３のＲＳＳＩを比較し、最大のＲＳＳＩを示すパケット（図８の例ではＰｕ２）をパソコンＰＣに送出する。ここでのシーケンス番号は前述のとおり移動局ＳＴからのパケットに付与されるが、イーサネット（登録商標である）規格で規定されるシーケンス番号を流用するようにしてもよい。そして、本例では、ローミングサーバＳＲＶは基地局ＡＰ２からのパケットＰｕ２を選択したこと、すなわち基地局ＡＰ２が最も移動局ＳＴと通信品質が良好であることを記憶しておく。
【００３１】
一方、パソコンＰＣから移動局ＳＴ方向へのパケットＰｄについては、ローミングサーバＳＲＶが記憶している（直近の上りパケットを受信した際に記憶されたものである）最も通信品質が良好な基地局（図８の例では基地局ＡＰ２)を経由して移動局ＳＴに転送される。
【００３２】
図９は、無線ＬＡＮシステム１において、当初は基地局ＡＰＩに接続していた移動局ＳＴが基地局ＡＰ３の方向に移動した場合の各基地局におけるＲＳＳＩの変化を示すグラフである。移動局ＳＴが発するパケットは複数宛先のバケット、いわゆるマルチキャストあるいはブロードキャストであるので、通信限界レベルＬ１以上の受信電力を得られれば、いずれの基地局でも受信可能である。たとえば、移動局ＳＴが基地局ＡＰＩと基地局ＡＰ２の中間地点（ローミング境界）にある場合は、移動局ＳＴからのパケットは基地局ＡＰＩ，ＡＰ２のいずれでも受信可能である。もし、各基地局間の距離が短い場合は基地局ＡＰ３でも受信できることがあり得る。
【００３３】
本実施の形態の無線ＬＡＮシステム１によれば、上りパケットにおいては、マルチキャスト又はブロードキャストにより移動局ＳＴから複数の基地局ＡＰ１，ＡＰ２，ＡＰ３に同一パケットを送信し、これら各基地局ＡＰ１，ＡＰ２，ＡＰ３で受信した同一パケットのうち受信した基地局のＲＳＳＩが最も高かったものを選択してパソコンＰＣに送ることができるので、ローミング境界において回線の切り替えに時間を要してしまって、その間にパケット間隔があいてしまう事態を防止することができる。
【００３４】
この場合に、単にＲＳＳＩが最も高かった基地局のパケットではなく、伝送誤りのないパケットの中でＲＳＳＩが最も高かった基地局のものを使用するので、無線回線の信頼性の向上も期待できる。
【００３５】
さらに、下りパケットにおいては、直近の上りパケットにおいてＲＳＳＩが最も高かった基地局を選択してパケットを移動局ＳＴに送ることができるので、最も通信状態が良好な基地局を選択して通信を行うことができる可能性が高い。
【００３６】
なお、いうまでもなく、本発明は以上説明した実施例の内容に限定されるものではない。例えば、前述のローミングサーバＳＲＶは単一の装置である必要はなく、無線ＬＡＮシステム１内の所定位置、例えば、パソコンＰＣ内などに機能として備えていれば良い。
【００３７】
また、図１０は、無線ＬＡＮシステム１の変形例であり、図１の構成にルータＲを追加してローミングサーバＳＲＶが上位ネットワークＮＥＴに接続するようにした例で、例えば、上位ネットワークＮＥＴとしてインターネットに接続すれば、インターネットを通してリアルタイム動画像をモニタすることができる。よって、無線ＬＡＮシステム１を図１０のように構成しても良い。
【図面の簡単な説明】
【００３８】
【図１】本発明の一実施の形態である無線ＬＡＮシステムの全体構成を示す説明図である。
【図２】移動局の電気的な接続を示すブロック図である。
【図３】基地局の電気的な接続を示すブロック図である。
【図４】ローミングサーバの電気的な接続を示すブロック図である。
【図５】移動局が実行する処理を説明するフローチャートである。
【図６】基地局が実行する処理を説明するフローチャートである。
【図７】ローミングサーバが実行する処理を説明するフローチャートである。
【図８】無線ＬＡＮシステムの通信シーケンス図である。
【図９】無線ＬＡＮシステムにおいて移動局ＳＴが移動した場合の各基地局におけるＲＳＳＩの変化を示すグラフである。
【図１０】無線ＬＡＮシステムの変形例の全体構成を示す説明図である。
【図１１】本発明の課題を説明する説明図である。
【図１２】本発明の課題を説明する説明図である。
【図１３】本発明の課題を説明する説明図である。
【図１４】本発明の課題を説明する説明図である。
【符号の説明】
【００３９】
１    無線ＬＡＮシステム
ＳＴ    移動局
ＡＰ１，ＡＰ２，ＡＰ３    基地局
ＳＲＶ    ローミングサーバ
ＰＣ    パソコン
【図１】
2009004829.tif 000003
【図２】
2009004829.tif 000004
【図３】
2009004829.tif 000005
【図４】
2009004829.tif 000006
【図５】
2009004829.tif 000007
【図６】
2009004829.tif 000008
【図７】
2009004829.tif 000009
【図８】
2009004829.tif 000010
【図９】
2009004829.tif 000011
【図１０】
2009004829.tif 000012
【図１１】
2009004829.tif 000013
【図１２】
2009004829.tif 000014
【図１３】
2009004829.tif 000015
【図１４】
2009004829.tif 000016